(57)【要約】【課題】アンカーに対して側方から装着し得るとともに、アンカーの外周面の凹凸状態には影響されないで、アンカーの軸方向に対する的確な固定が可能な、使い勝手のよい実用的なアンカー用スペーサを提供する。【解決手段】周壁に開口部１４，１５等からなるアンカーの挿入部を設けた両側の筒状部１２，１３と、それらの両側の筒状部１２，１３に両端部が一体的に連設され、かつそれぞれの中間部が径方向外側へ膨出された複数の間隔保持片１７とからアンカー用スペーサ１１を構成し、筒状部１２，１３に設けた挿入部を介してアンカーに側方から装着し得るように構成するとともに、一方の筒状部１２のみにアンカーの外周面の凹凸部に係止して長手方向の移動を阻止し得る突起１６等の係止手段を設ける。【選択図】図４
2005054572.tif 000002
【特許請求の範囲】
【請求項１】
周壁にアンカーの挿入部を設けた両側の筒状部と、それらの両側の筒状部に両端部が一体的に連設され、かつそれぞれの中間部が径方向外側へ膨出された複数の間隔保持片とからなり、前記筒状部に設けた挿入部を介してアンカーに側方から装着し得るように構成するとともに、前記一方の筒状部のみにアンカーの外周面の凹凸部に係止して長手方向の移動を阻止し得る係止手段を設けたことを特徴とするアンカー用スペーサ。
【発明の詳細な説明】
【技術分野】
【０００１】
本発明は、例えばロックボルト等のアンカーを地盤に設置する場合に、アンカーに装着した状態で共にアンカー設置用の孔に挿入され、その設置孔の内壁に当接してアンカーの位置を保持するためのアンカー用スペーサに関する。
【背景技術】
【０００２】
従来、ロックボルトやグラウンドアンカーなどの各種アンカーが地盤安定化の手段として多用されている。これらのアンカーは、アンカー設置用の孔（削孔）に挿入した状態で、その周囲に適宜のグラウト材を充填することにより地盤に定着される。この定着作業においては、それらグラウト材の被り厚を適正に確保することが重要であり、このためアンカーをアンカー設置用の孔の中心部すなわち孔心に保持するアンカー用スペーサが一般的に使用されている。
【０００３】
斯かるアンカー用スペーサに関する従来技術として、帯状金属板を欠円筒状に屈曲形成して、両側に挿通口を形成するとともに、それらの両側の挿通口の間に支持片を筒体外方向に屈曲膨出することにより、アンカー用スペーサを形成するものが知られている（特許文献１）。しかしながら、この従来技術は、アンカー用スペーサを帯状金属板から屈曲形成するというものであり、その両側に形成された挿通口を介してアンカーに軸方向から挿通することにより装着するものであったため、作業性に問題があった。他方、バネ力に抗してアンカーに側方から装着可能な円筒状本体と、その円筒状本体の片側に一体的に形成された複数の掛止片から構成されるロックボルト用の掛止具も知られている（特許文献２）。しかしながら、この従来のロックボルト用の掛止具の場合には、ロックボルトに対する装着は簡便であるものの、円筒状本体の片側にしか掛止片が設置されなかったため、ロックボルトに装着して設置用の孔に挿入する際には、掛止片と設置用孔の内壁面との偏った部分的な接触による摩擦力によって円筒状本体の部分に大きな回転モーメントが作用し、掛止具全体がロックボルトの軸心に対して傾斜したり、脱落しやすいといった技術的問題があった。また、各掛止片自体も円筒状本体に対して片側で連設されるという片持ちの形態であったため、ロックボルトに対する位置保持力も弱いという技術的問題があった。
【特許文献１】特公昭６４−５３７号公報
【特許文献２】実公平６−７１２０号公報
【０００４】
ところで、アンカー用スペーサの主たる対象であるロックボルトの場合には、経済性および入手の容易さ等の理由により、竹フシ棒鋼やネジフシ棒鋼などの鉄筋コンクリート用の異形棒鋼が利用されている。そして、それらの各種の形状や仕様の異形鋼棒の中から、ロックボルトとしての使用条件等に応じて適当なものを選定して使用することになるが、前記異形棒鋼における外形に関する細部の寸法は、外径の基準を表す呼び名が同じであっても、各メーカーにより少なからず差異があるのが実情である。また、断面形状に関しても楕円状等の真円から外れたものも存在し、この点も、異形棒鋼としての呼び名が同じで、形状や寸法に差異が生じる原因の一つであった。これらの異形棒鋼のメーカーごとの各呼び名に対応して、それぞれ適合する多数種のスペーサを揃えることは、製造面や保管面でのコストアップにつながり不経済であった。
【発明の開示】
【発明が解決しようとする課題】
【０００５】
本発明は、以上のような従来の技術的状況に鑑み、アンカーに対して側方から装着し得るとともに、アンカーの外周面の凹凸状態には影響されないで、アンカーの軸方向に対する的確な固定が可能な、使い勝手のよい実用的なアンカー用スペーサを提供することを目的とする。
【課題を解決するための手段】
【０００６】
本発明では、課題を解決するため、周壁にアンカーの挿入部を設けた両側の筒状部と、それらの両側の筒状部に両端部が一体的に連設され、かつそれぞれの中間部が径方向外側へ膨出された複数の間隔保持片とからなり、前記筒状部に設けた挿入部を介してアンカーに側方から装着し得るように構成するとともに、前記一方の筒状部のみにアンカーの外周面の凹凸部に係止して長手方向の移動を阻止し得る係止手段を設けるという技術手段を採用した。この技術手段の採用により、本発明に係るアンカー用スペーサの場合には、両側の筒状部に設けた挿入部を介してアンカーに側方から装着すれば、一方の筒状部に設けた係止手段がアンカーの外周面の凹凸部に係止して長手方向の移動を阻止し、他方の筒状部の部分に位置するアンカーの外周面の凹凸状態に影響されることはないので、アンカーの軸方向に対して的確に固定することができる。
【発明の効果】
【０００７】
本発明によれば、次の効果を得ることができる。
（１）本発明に係るアンカー用スペーサは、両側の筒状部に設けた挿入部を介してアンカーに側方から装着することができるので、その作業性を大幅に向上できる。
（２）本発明に係るアンカー用スペーサでは、両側の筒状部のうち、一方の筒状部のみにアンカーの外周面の凹凸部に係止可能な係止部を設けたので、アンカーの外周面の凹凸状態に影響されることなく、アンカーの軸方向に対して的確に固定することができる。
【発明を実施するための最良の形態】
【０００８】
本発明に係るアンカー用スペーサは、ロックボルトやグラウンドアンカーなどの各種アンカーを設置用の孔に挿入した際の位置保持用のスペーサとして広く適用することが可能である。本発明に係るアンカー用スペーサをアンカーに側方から装着した場合には、アンカー用スペーサの両端部においてアンカーに強固に装着されることになる。したがって、それぞれの筒状部に作用する回転モーメントは大幅に縮小され、アンカーから脱落しにくいより安定した装着状態が得られる。斯かる筒状部の形状に関しては、略円形状断面のものや略楕円形状断面のものが使用される。また、両側の筒状部の間に形成される間隔保持片の設置数は、３個以上あれば格段の限定はないが、好ましくは４個である。
【実施例１】
【０００９】
図１及び図２は本発明に係るアンカー用スペーサの第１実施例を示したものであり、図１はその正面図、図２は平面図である。図中、１は本実施例に係るアンカー用スペーサで、両側の筒状部２，３と、それらの筒状部２，３間に一体的に連設された複数の間隔保持片４とから構成される。これらの両側の筒状部２，３及び各間隔保持片４はバネ鋼材などの弾性変形に富む素材から構成されている。本実施例の筒状部２，３は、それぞれ略円形状断面に形成され、その周壁の一部が軸心方向に沿って開口され、アンカーの挿入部を構成している。図２中、５，６はその筒状部２，３の開口部を示したもので、図示のように本実施例では、それらの開口部５，６の両側の縁部に沿って折返し部７，８を形成している。そして、一方の筒状部２のみにアンカーに対する係止手段として内方へ突出した２個の突起９を形成し、それらの突起９がアンカーの外周面に形成された竹節やネジ節などの凹凸部に係止して軸方向のずれを阻止し得るように構成するとともに、他方の筒状部３の内径はアンカーの外径より少し大きく設定している。
【００１０】
しかして、本実施例に係るアンカー用スペーサ１をアンカーに装着する場合には、アンカーの挿入部としての開口部５，６をアンカーに対して側方から押し当てて、それらの開口部５，６を弾性力に抗して拡開しながら挿入することにより簡便に装着することができる。その装着の際、本実施例の場合には、開口部５，６の両側の縁部に沿って形成した前記折返し部７，８が案内手段としても機能することから装着がきわめて容易である。そして、アンカーに対する側方からの装着が完了すると、両側の筒状部２，３はそれ自体の弾性復元力によってアンカーに装着され、アンカー用スペーサ１をアンカーに対して両側から確実に保持することになる。すなわち、アンカー用スペーサ１は両側の筒状部２，３を介して両端部をアンカーに保持されることから、従来の片持ちの形態とは異なり、設置用孔の内壁面からの外力に基づいて両側の筒状部２，３に作用する回転モーメントは大幅に縮小され、きわめて強固な装着状態が得られる。さらに、アンカー用スペーサ１をアンカーに装着した状態では、筒状部２に形成した係止手段としての突起９がアンカーの外周面の凹凸部に係止して長手方向へのずれを防止する機能を奏する。他方、筒状部３の内径はアンカーの外径より少し大きく設定されているので、アンカーに対して遊嵌状態にある。しかも、筒状部３は、係止手段を有しないので、アンカーの外周面の凹凸状態による影響は受けない。また、本アンカー用スペーサをアンカーに装着して設置用の孔に挿入する際には、その設置用孔の大きさに応じて生じる各間隔保持片４の拡縮変形に伴う筒状部３の軸方向のずれが可能なことから、設置用孔への円滑な挿入が可能である。
【００１１】
本実施例では、前記間隔保持片４として、図１及び図２に示したように、中間部が径方向外側へ略放射状に膨出した帯板状からなる４個の間隔保持片４ａ〜４ｄを設けた場合を示した。図１に示したように、それらの間隔保持片４ａ〜４ｄの中間部に形成した各膨出部１０ａ〜１０ｄは平坦状に形成され、アンカー用スペーサ１をアンカーに装着した状態で設置用の孔に挿入した場合に、その間隔保持片４ａ〜４ｄの平坦な各膨出部１０ａ〜１０ｄが設置用孔の内壁面に対してより安定した状態で当接して、アンカーを設置用孔の内壁面から確実に離間してグラウト材の注入路を確保し得るように構成している。因みに、アンカーの外径の大小による筒状部２の拡縮変形に起因して、各間隔保持片４ａ〜４ｄの設置用孔の内壁面に対する当接位置が放射状に均等に分配されなくなると、アンカーと設置用孔との間において、グラウト材の充填不良等につながる軸心のずれが発生しやすいという問題がある。このため、本実施例では、図２に示したように、間隔保持片４ａ，４ｄに関しては、図示のようにそれらの膨出部１０ａ，１０ｄを周方向においてそれぞれ開口部５の端部に近い位置に配置するとともに、その筒状部２と交差する付け根の部分を前記膨出部１０ａ，１０ｄよりも周方向の内方に位置するように設けて、筒状部２の拡縮変形による間隔保持片４ａ，４ｄの膨出部１０ａ，１０ｄの変位を低減するように構成している。なお、以上の実施例の説明においては間隔保持片が４個の場合に関して説明したが、３個あるいは５個以上にすることはもちろん可能である。
【実施例２】
【００１２】
図３〜図６は本発明に係るアンカー用スペーサの第２実施例を示したものであり、図３はその正面図、図４は左側面図、図５は平面図、図６は底面図である。本実施例に係るアンカー用スペーサ１１では、両側の筒状部１２，１３として、前記第１実施例における略円形状断面のものの周壁の一部を軸心方向に沿って開口した筒状部２，３に代えて、略楕円形状断面のものの周壁の一部を軸心方向に沿って開口し、アンカーの挿入部としての開口部１４，１５を形成した場合を示した。図４に示したように、一方の筒状部１２のみの内面にアンカーに対する係止手段として内方へ突出した１個の突起１６を形成し、この突起１６がアンカーの外周面に形成された竹節やネジ節などの凹凸部に係止して軸方向のずれを阻止し得るように構成するとともに、他方の筒状部１３の内径はアンカーの外径より少し大きく設定している。前記突起１６の設置数や設置位置に関しては、一方の筒状部１２のみに形成するものであれば、適宜の変更が可能である。因みに、本実施例における筒状部１２，１３の場合には、周壁全体が同じ曲率ではなく、突起１６側の円弧部分はその両側部分の円弧よりも大きな曲率で形成され、平らに近いものになっている。これは、適用対象となるアンカーの断面形状に合わせたためであり、必ずしもこれに限定されるものではない。また、間隔保持片１７としては中間部を円弧状に膨出したものを採用した。その他の構成においては、前記第１実施例と基本的に相違するところはなく、同様の機能を奏する。
【図面の簡単な説明】
【００１３】
【図１】本発明の第１実施例を示した正面図である。
【図２】同実施例を示した平面図である。
【図３】本発明の第２実施例を示した正面図である。
【図４】同実施例を示した左側面図である。
【図５】同実施例を示した平面図である。
【図６】同実施例を示した底面図である。
【符号の説明】
【００１４】
１…アンカー用スペーサ、２，３…両側の筒状部、４，４ａ〜４ｄ…間隔保持片、５，６…開口部、７，８…折返し部、９…突起、１０ａ〜１０ｄ…膨出部、１１…アンカー用スペーサ、１２，１３…両側の筒状部、１４，１５…開口部、１６…突起、１７…間隔保持片
【図１】
2005054572.tif 000003
【図２】
2005054572.tif 000004
【図３】
2005054572.tif 000005
【図４】
2005054572.tif 000006
【図５】
2005054572.tif 000007
【図６】
2005054572.tif 000008